(57)【特許請求の範囲】
【請求項１】
先端に石突を設けると共に、後端に手元を設けた長尺な中棒と、前記中棒の長尺方向に摺動可能に嵌合させて設けた上ロクロ及び下ロクロと、前記石突側の前記上ロクロに軸支した線条の主骨と、前記手元側に設けた下ロクロに軸支すると共に前記主骨の取付け部位に軸支した線条の受骨と、前記主骨を覆うと共に、前記主骨を放射状に止着する防水シートと、を備えた傘において、
前記主骨上における前記取付け部位は、前記上ロクロまでの距離を前記受骨の長さより短くすることにより、前記下ロクロの前記石突方向への操作で、前記防水シートが前記中棒の先端に向けて閉じるように構成されており、
前記傘は、前記防水シートに張りを付与する線条の補助骨を備え、該補助骨が前記受骨の基端側または下ロクロに軸支されると共に、前記主骨の先端部に設けた筒状の取付け具に挿入されて設けられており、前記補助骨は、先端が取付け具の先方に突き出ることにより、防水シート全体が外側に引き伸ばされて前記防水シートに張りを付与することを特徴とする上閉じ式傘。
【請求項２】
前記上ロクロ及び下ロクロは、それぞれの外周壁に前記石突方向に開口して形成したガイド構を備え、また、前記主骨及び受骨が、前記ガイド構内で軸支されて設けられていることを特徴とする請求項１に記載の上閉じ式傘。
【請求項３】
前記中棒に嵌合させて設けた前記上ロクロの外径は、前記下ロクロの外径より小さくして形成し、傘を閉じた際に、前記主骨の軸支位置が前記受骨の軸支位置より内側になるようにしたことを特徴とする請求項１または２に記載の上閉じ式傘。
【請求項４】
前記傘は、前記上ロクロが前記中棒から抜けないように、前記中棒に固定して設けられた前記石突と、前記上ロクロ及び下ロクロ間に、互いに外側に付勢するように設けられたバネと、前記下ロクロを前記中棒の所定部に留めるハジキと、を備え、前記傘の開状態が、前記ハジキで維持されることを特徴とする請求項１ないし３のいずれか１項に記載の上閉じ式傘。
【請求項５】
前記手元に前記ハジキの進退を操作する操作ボタンを設け、前記ハジキを前記中棒内に後退させることにより、閉じた状態で、前記上ロクロ及び下ロクロを前記手元方向に移動することができるようにしたことを特徴とする請求項４記載の上閉じ式傘。
【請求項６】
前記傘は、前記下ロクロに嵌合させた円筒形状のグリップカップを備え、前記下ロクロの上下長さ内で、前記グリップカップを上方に摺動させて、前記防水シートを前記中棒側に窄ませることを特徴とする請求項１ないし５のいずれか１項に記載の上閉じ式傘。
【請求項７】
前記傘は、前記中棒に嵌合させた円筒形状のグリップカップを備え、前記中棒の長さ内で、前記グリップカップを上方に摺動させて、前記防水シートを前記中棒側に窄ませることを特徴とする請求項１ないし５のいずれか１項に記載の上閉じ式傘。
【請求項８】
前記グリップカップは、その上縁に、前記防水シートの開閉作動を補助する回転体または前記石突方向へ開口させて凹部を備えていることを特徴とする請求項６または７に記載の上閉じ式傘。
【請求項９】
前記傘は、前記傘を窄ませて収納する収納ケースを前記中棒に嵌合させて備えていることを特徴とする請求項１ないし８のいずれか１項に記載の上閉じ式傘。
【請求項１０】
筒状の外装ケースと該外装ケース内に挿入させて設けた中棒と、前記外装ケースの先端部で放射状に開くように設けた線条の主骨と、該主骨を操作する線条の操作子と、該操作子を覆うように設けた防水シートと、を備えて構成された傘であって、
前記傘は、前記操作子を前記主骨の先端部および前記中棒の先端部に固着させ、且つ、前記主骨を該主骨の後端部において、前記中棒に嵌合させて設けた第１の挿通部材に固着させ、さらに、前記第１の挿通部材を前記外装ケースに摺動自在に嵌合させることにより、前記中棒の操作で前記主骨の開閉ができるようにし、
前記主骨を２分割すると共に２分割部分を支軸で連結することで、先端側の主骨が手元側の主骨に対して折れ自在になるようにし、さらに、前記手元側の主骨および前記操作子を挿通させる第２の挿通部材を設けると共に、前記第２の挿通部材を前記外装ケースに固着させ、
前記防水シートと前記中棒との間を、それぞれの中心部で連結するように、連結糸が設けられていることを特徴とする上閉じ式傘。
【請求項１１】
筒状の外装ケースと該外装ケース内に挿入させて設けた中棒と、前記外装ケースの先端部で放射状に開くように設けた線条の主骨と、該主骨を操作する線条の操作子と、該操作子を覆うように設けた防水シートと、を備えて構成された傘であって、
前記傘は、前記操作子を前記主骨の先端部および前記中棒の先端部に固着させ、且つ、前記主骨を該主骨の後端部において、前記操作子を挿通させた第３の挿通部材に固着させ、さらに、前記第３の挿通部材を前記外装ケースに固着させることにより、前記中棒の操作で、前記主骨の開閉ができるようにし、
前記防水シートと前記中棒との間を、それぞれの中心部で連結するように、連結糸が設けられていることを特徴とする上閉じ式傘。
【請求項１２】
筒状の外装ケースと該外装ケース内に挿入させて設けた中棒と、前記外装ケースの先端部で放射状に開くように設けた線条の主骨と、該主骨を操作する線条の操作子と、該操作子を覆うように設けた防水シートと、を備えて構成された傘であって、
前記傘は、前記操作子を前記主骨の先端部および前記中棒の先端部に固着させ、且つ、前記主骨を該主骨の後端部において、前記操作子を挿通させた第４の挿通部材に固着させ、さらに、前記主骨および前記操作子を挿通させた第５の挿通部材を前記第４の挿通部材より先端側に設け、前記第５の挿通部材を前記外装ケースに固着させることにより、前記中棒の操作で、前記主骨の開閉ができるようにし、
前記防水シートと前記中棒との間を、それぞれの中心部で連結するように、連結糸が設けられていることを特徴とする上閉じ式傘。
【発明の詳細な説明】
【技術分野】
【０００１】
本発明は、防水シートの濡れた面を内側にして閉じることができる上閉じ式の雨傘に関するものである。
【背景技術】
【０００２】
一般的に傘は、下ロクロを手元方向（下方向）に引き寄せることによって、手元方向（下方向）に閉じ、逆に、下ロクロを石突方向（上方向）に引き離すことによって、石突方向（上方向）に開く構造となっている。このような構造の傘は、傘を開閉する為の広い空間を必要とするものであり、雨天時に、乗用車への乗降に際して使用されるような場合には、車のドアが障害となり、体も車のドアの内側も雨に濡れてしまうという不都合を生じる。
このような問題点を解決するものとして、下ロクロを手元方向（下方向）に引き寄せることにより傘を石突方向（上方向）に閉じる傘が知られている。一例として、特開平１１−２７６２２３号公報には、閉じると濡れた面が内側に隠れる雨傘が開示されている。この発明は柄の先端に固定された上ロクロと、該上ロクロより下部で摺動可能に設けられた下ロクロと、下ロクロに軸止めされた主骨（親骨）と、上ロクロおよび主骨の中間部に軸止めされた受骨と、主骨及び受骨に取付けられると共に、周辺部が主骨の各先端に固定された防水シートとを備え、主骨及び受骨が弾性体を介することにより伸縮自在に形成されている。
【特許文献１】特開平１１‐２７６２２３号公報
【発明の開示】
【発明が解決しようとする課題】
【０００３】
従来の技術で述べた雨傘においては、受骨が、主骨の石突き側（上方向）に設けられており、放射状に複数本設けられる主骨および受骨のそれぞれに弾性体が備えられているので構造が複雑である。
本発明は、従来の技術の有する問題点に鑑みてなされたものであり、その目的とするところは、雨天時に、特に、乗用車への乗降に際して使用される傘として好適なものとすることであり、簡易な構造で、開閉操作に優れた上閉じ式の傘を提供することである。
【課題を解決するための手段】
【０００４】
上記目的を達成するために、上閉じ式傘の請求項１の発明は、先端に石突を設けると共に、後端に手元を設けた長尺な中棒と、前記中棒の長尺方向に摺動可能に嵌合させて設けた上ロクロ及び下ロクロと、前記石突側の前記上ロクロに軸支した線条の主骨と、前記手元側に設けた下ロクロに軸支すると共に前記主骨の取付け部位に軸支した線条の受骨と、前記主骨を覆うと共に、前記主骨を放射状に止着する防水シートと、を備えた傘において、
前記主骨上における前記取付け部位は、前記上ロクロまでの距離を前記受骨の長さより短くすることにより、前記下ロクロの前記石突方向への操作で、前記防水シートが前記中棒の先端に向けて閉じるように構成されており、
前記傘は、前記防水シートに張りを付与する線条の補助骨を備え、該補助骨が前記受骨の基端側または下ロクロに軸支されると共に、前記主骨の先端部に設けた筒状の取付け具に挿入されて設けられており、前記補助骨は、先端が取付け具の先方に突き出ることにより、防水シート全体が外側に引き伸ばされて前記防水シートに張りを付与することを特徴とする。
請求項２の発明は、前記上ロクロ及び下ロクロが、それぞれの外周壁に前記石突方向に開口して形成したガイド構を備え、また、前記主骨及び受骨が、前記ガイド構内で軸支されて設けられていることを特徴とする。
請求項３の発明は、前記中棒に嵌合させて設けた前記上ロクロの外径が、前記下ロクロの外径より小さくして形成し、傘を閉じた際に、前記主骨の軸支位置が前記受骨の軸支位置より内側になるようにしたことを特徴とする。
請求項４の発明は、前記傘が、前記上ロクロが前記中棒から抜けないように、前記中棒に固定して設けられた前記石突と、前記上ロクロ及び下ロクロ間に、互いに外側に付勢するように設けられたバネと、前記下ロクロを前記中棒の所定部に留めるハジキと、を備え、前記傘の開状態が、前記ハジキで維持されることを特徴とする。
請求項５の発明は、前記手元に前記ハジキの進退を操作する操作ボタンを設け、前記ハジキを前記中棒内に後退させることにより、閉じた状態で、前記上ロクロ及び下ロクロを前記手元方向に移動することができるようにしたことを特徴とする。
請求項６の発明は、前記傘が、前記下ロクロに嵌合させた円筒形状のグリップカップを備え、前記下ロクロの上下長さ内で、前記グリップカップを上方に摺動させて、前記防水シートを前記中棒側に窄ませることを特徴とする。
請求項７の発明は、前記傘が、前記中棒に嵌合させた円筒形状のグリップカップを備え、前記中棒の長さ内で、前記グリップカップを上方に摺動させて、前記防水シートを前記中棒側に窄ませることを特徴とする。
請求項８の発明は、前記グリップカップが、その上縁に、前記防水シートの開閉作動を補助する回転体または前記石突方向へ開口させて凹部を備えていることを特徴とする。
請求項９の発明は、前記傘が、前記傘を窄ませて収納する収納ケースを前記中棒に嵌合させて備えていることを特徴とする。
【０００５】
請求項１０の発明は、筒状の外装ケースと該外装ケース内に挿入させて設けた中棒と、前記外装ケースの先端部で放射状に開くように設けた線条の主骨と、該主骨を操作する線条の操作子と、該操作子を覆うように設けた防水シートと、を備えて構成された傘であって、前記傘は、前記操作子を前記主骨の先端部および前記中棒の先端部に固着させ、且つ、前記主骨を該主骨の後端部において、前記中棒に嵌合させて設けた第１の挿通部材に固着させ、さらに、前記第１の挿通部材を前記外装ケースに摺動自在に嵌合させることにより、前記中棒の操作で前記主骨の開閉ができるようにし、前記主骨を２分割すると共に２分割部分を支軸で連結することで、先端側の主骨が手元側の主骨に対して折れ自在になるようにし、さらに、前記手元側の主骨および前記操作子を挿通させる第２の挿通部材を設けると共に、前記第２の挿通部材を前記外装ケースに固着させ、前記防水シートと前記中棒との間を、それぞれの中心部で連結するように、連結糸が設けられていることを特徴とする。
請求項１１の発明は、筒状の外装ケースと該外装ケース内に挿入させて設けた中棒と、前記外装ケースの先端部で放射状に開くように設けた線条の主骨と、該主骨を操作する線条の操作子と、該操作子を覆うように設けた防水シートと、を備えて構成された傘であって、前記傘は、前記操作子を前記主骨の先端部および前記中棒の先端部に固着させ、且つ、前記主骨を該主骨の後端部において、前記操作子を挿通させた第３の挿通部材に固着させ、さらに、前記第３の挿通部材を前記外装ケースに固着させることにより、前記中棒の操作で、前記主骨の開閉ができるようにし、前記防水シートと前記中棒との間を、それぞれの中心部で連結するように、連結糸が設けられていることを特徴とする。
請求項１２の発明は、筒状の外装ケースと該外装ケース内に挿入させて設けた中棒と、前記外装ケースの先端部で放射状に開くように設けた線条の主骨と、該主骨を操作する線条の操作子と、該操作子を覆うように設けた防水シートと、を備えて構成された傘であって、前記傘は、前記操作子を前記主骨の先端部および前記中棒の先端部に固着させ、且つ、前記主骨を該主骨の後端部において、前記操作子を挿通させた第４の挿通部材に固着させ、さらに、前記主骨および前記操作子を挿通させた第５の挿通部材を前記第４の挿通部材より先端側に設け、前記第５の挿通部材を前記外装ケースに固着させることにより、前記中棒の操作で、前記主骨の開閉ができるようにし、前記防水シートと前記中棒との間を、それぞれの中心部で連結するように、連結糸が設けられていることを特徴とする。
【発明の効果】
【０００６】
本発明の上閉じ式傘は、上述したように構成されているので、下ロクロを石突（中棒の先端）方向へ操作して、防水シートを中棒の先端に向けて閉じることができる。即ち、下ロクロを中棒の先端へ移動させることにより、防水シートを先端に向けて閉じるようにしたので、狭い隙間から傘を突き出した状態でも傘を閉じることができる。また、傘の開閉に必要な下ロクロのスライドの距離を短くできるので傘の開閉が容易になる。さらに、雨に濡れた傘の布地の外側部分は、閉じた状態で、傘の内側にすることができるため、雨滴を床に落とすことや、周囲に撒き散らすことがない。
上ロクロの外径が下ロクロの外径より小さく形成され、主骨の軸支位置が受骨の軸支位置より内側になるようにしたことにより、閉じた傘が容易に窄める。
上ロクロ及び下ロクロの間にバネを設けることにより、傘の開状態がバネで促され、傘の開操作が容易になる。また、傘の開状態はハジキが下ロクロを中棒の所定部に留めることで維持される。
ハジキの進退を手元の操作ボタンにより行い得るように構成し、また、これにより、ハジキを中棒の内部に後退させて、上ロクロ及び下ロクロを一緒に手元側に引き寄せて、閉じた状態の傘全体の長さを短くすることができる。
主骨の取付け具に挿入させて設けられた補助骨は、傘を開いた際に、主骨の先端方向に伸び、防水シートに張りを与える。
グリップカップを備えることにより、下ロクロを中棒の先端へ移動させる傘の閉じ操作が、直接主骨や受骨に触れることなくできる。また、グリップカップの上端縁には、回転体もしくは凹部が設けられているので、傘を閉じる際にガイドの役割を果たし閉じる操作が容易になる。
また、グリップカップを介して防水シート、主骨、受骨、補助骨が束ねられて把持されることにより、閉じた防水シートを手元側に引き寄せる操作が容易になる。
傘の中棒に嵌合させて設けた収納ケースは、傘を窄めると同時に、傘を収納することができる。
【０００７】
筒状の外装ケースに挿入させて設けた中棒と、外装ケースの先端部で放射状に開くように設けた線条の主骨と、該主骨を操作する線条の操作子とを中棒に固着させて設けた場合には、中棒の操作で操作子を撓ませて傘の開閉ができるものとなる。
防水シートと中棒との間を、それぞれの中心部で連結するように、連結糸が設けられていることにより、防水シートの開閉がスムーズになる。
【図面の簡単な説明】
【０００８】
【図１】上閉じ式傘を開いた状態で説明する説明図である。（実施例１）
【図２】上ロクロ近傍を拡大して示した説明図である。
【図３】閉じた上閉じ式傘の外観図である。
【図４】防水シートを閉じて引き寄せた状態を説明する説明図である。
【図５】上閉じ式傘を開いた状態で説明する説明図である。（実施例２）
【図６】閉じた上閉じ式傘の外観図である。
【図７】下ロクロおよびグリップカップの取付け構造を詳細に説明するための説明図であり、（ａ）は上閉じ式傘を閉じた状態を示し、（ｂ）は開いている状態を示し、（ｃ）及び（ｄ）は作用を説明する断面図である。
【図８】図５のＢ部分で示す補助骨の先端部分の取付け構造を説明する部分拡大図であり、（ａ）は閉じた状態を示し、（ｂ）は開いている状態を示したものである。
【図９】上閉じ式傘を開いた状態で説明する説明図である。（実施例３）
【図１０】閉じた上閉じ式傘を説明する説明図である。
【図１１】カバーを設けた上閉じ式傘を説明する説明図である。
【図１２】カバーを被せた状態の上閉じ式傘を説明する説明図である。
【図１３】上閉じ式折り畳み傘を説明する説明図である。
【図１４】（ａ）は閉じた状態、（ｂ）は開いた状態の上閉じ式傘を説明する説明図であり、（ｃ）は断面図である。（実施例４）
【図１５】（ａ）は閉じた状態、（ｂ）は開いた状態の上閉じ式傘である。
【図１６】（ａ）は閉じた状態、（ｂ）は開いた状態の上閉じ式傘である。
【図１７】（ａ）は開いた状態の上閉じ式傘であり、（ｂ）、（ｃ）、（ｄ）は、傘の閉じ操作を順に説明したものである。
【符号の説明】
【０００９】
１  主骨
２  受骨
３  上ロクロ
４  下ロクロ
４ａ  摺動面
５  バネ
７  中棒
１０  上閉じ式傘
１５  補助骨
１６  グリップカップ
１６ａ  凹部
１７  取付け具
１８  回転体
２０、３５  防水シート
２１  収納ケース
３２  操作子
３４  外装ケース
４０、４０ａ  固定具
４１  第１の挿通部材
４２  第２の挿通部材
４３  第３の挿通部材
４４  第４の挿通部材
４５  第５の挿通部材
【発明を実施するための最良の形態】
【００１０】
簡易な構造で開閉操作に優れた上閉じ式の傘を提供するために、本発明の傘は、上ロクロ及び下ロクロ間にバネを設け、円筒形状のグリップカップを備える。グリップカップは、下ロクロに嵌合させて設け、下ロクロの上下幅内で上方に摺動させることにより、防水シートを中棒側に窄ませることができるものである。傘が閉じた状態においては、手元に設けた操作ボタンの押圧操作で、ハジキを後退させ、上ロクロ及び下ロクロを手元側に引き寄せ、全体として傘の長さを短くすることができるようにした。
【実施例１】
【００１１】
図１は、実施例１における上閉じ式傘１０を開いた状態で示したものである。この図１に示すように、本発明の上閉じ式傘１０は、主骨１を軸支した上ロクロ３及び受骨２を軸支した下ロクロ４とを、長尺な中棒７に回転止めして嵌合し、それぞれ上ロクロ３及び下ロクロ４を中棒７の長尺方向に摺動できるようにしたものである。中棒７の先端には、上ロクロ３が抜け落ちないように石突１１を固定して設け、中棒７の後端には手元９を設け、中棒７の中段には、下ロクロ４が手元９方向へ移動しないように、その移動を規制するハジキ６を設ける。中棒７の外周面で、上ロクロ３及び下ロクロ４が回転しないようにする手段としては、ハジキ６に対応させて下ロクロ４の下端に、ハジキ６が係合する係合部を設けること、もしくは、中棒７を非円形に形成し、その横断面形状に対応させて、上ロクロ３及び下ロクロ４の嵌合孔を形成すること等により適宜実施される。
【００１２】
上ロクロ３及び下ロクロ４の間には、バネ５（弾性部材）を設け、そのバネ５の付勢方向は、上ロクロ３及び下ロクロ４を互いに外側方向に押し出すようにする。このように外側方向に付勢するバネ５は、上ロクロ３及び下ロクロ４を石突１１とハジキ６との間で維持し、上閉じ式傘１０の開状態を維持する。ハジキ６は、手元９に設けられた操作ボタン８の押圧操作で中棒７の内部に後退するように設ける。受骨２は、一端を下ロクロ４に軸支すると共に、他端は主骨１の取付け部位Ａに軸支する。主骨１上における取付け部位Ａは、その取付け部位Ａから上ロクロ３までの距離を受骨２の長さより短くして設ける。雨水の落下を防ぐ防水シート（図省略）は、主骨１を覆うように取付け、その先端部には、主骨１の先端を挿入して係止する露先を設ける。
【００１３】
図２は、上閉じ式傘１０を閉じた状態の説明図であり、上ロクロ３近傍を拡大して示した説明図である。この図２に示すように、上ロクロ３は、外周壁に、石突１１方向に開口して形成した縦長のガイド溝１２を備え、また、主骨１を軸支するための軸芯１４が装着できるように、その外周面に凹部を形成したものである。この凹部内で、主骨１を軸芯１４で軸支し、主骨１は、ガイド構１２に沿って、石突１１方向への回動（上閉じ式に閉じること）が許容されるものとなっている。さらに、上ロクロ３は、その上端を突出させた上ロクロ上部３ａを有したものとし、補助シート１９は、この上ロクロ上部３ａから、防水シート２０にかけて接着して設ける。この補助シート１９は、防水シート２０の中心部の開口部から、雨水Ｃの侵入を防ぐものであり、好ましくは、上ロクロ上部３ａ側で、若干上方に延出させて、雨水Ｃを受ける空間を形成する。また、石突１１は、上ロクロ上部３ａより拡径させ中棒７と上ロクロ３との摺動面から雨水Ｃが侵入しないようにする。
【００１４】
因みに、下ロクロ４（図１参照）は、受骨２の一端を軸支して、中棒７に嵌合されて設けられるものであり、基本的に上ロクロ３と同様に形成されるが、その外径は上ロクロ３の外径より大きくして形成する。これにより、受骨２の軸支位置は主骨１の軸支位置より外側になるので、閉じた状態での収まりがよくなる。
【００１５】
図３は、上閉じ式傘１０を閉じた状態の説明図である。この図３に示すように、上閉じ式傘１０を石突１１側で閉じた場合には、全体的な長さが長くなる。しかし、下ロクロ４を石突１１方向へ動かす操作は僅かであり、中棒７の長さは従来の傘に比べてかなり短くできる。即ち、下ロクロ４の移動距離は、従来の傘程長くなくてもよく（図６参照）、これにより、中棒の長さは主骨１の長さより短く形成されている。図４は、手元９に設けた操作ボタン８の押圧操作で、ハジキ６を後退させ、上ロクロ３及び下ロクロ４を手元９側に引き寄せ、全体として上閉じ式傘１０の長さを更に短くしたものである。尚、上閉じ式傘１０を閉じた状態においてはバネ５が傘を開くように付勢しているので、例えば、紐（図省略）を石突１１側の防水シートに設け主骨１を束ねて係止するようにする。
【実施例２】
【００１６】
図５は、実施例２を示した上閉じ式傘１０である。この実施例における上閉じ式傘１０は、実施例１の形態に、グリップカップ１６、及び、補助骨１５を追加したものである。このグリップカップ１６を保持するために、下ロクロ４の形状は、図１で示した下ロクロ４に連設させてグリップカップ１６の摺動面４ａを形成し、さらに、その下端部を隆起させた形状としている。これにより、上閉じ式傘１０の開状態は、グリップカップ１６の下端部の下面をハジキ６で係止することで、維持されるように構成されている。
補助骨１５は、一端が受骨２の後部（下ロクロ４に軸支されている受骨２の軸支付近）に軸支され、他端は、主骨１の先端部（図中Ｂ部分）に設けられた筒状の取付け具１７（図８参照）に挿入して設けられる。尚、図は省略するが、補助骨１５の一端を受骨２とともに下ロクロ４に軸支し、他端を主骨１の先端部に設けた筒状の取付け具１７に挿入して形成してもよい。
【００１７】
グリップカップ１６は、下ロクロ４の摺動面４ａに嵌合させて、上下方向への移動が可能に形成されている。（実施例１のように、下ロクロ４の形状が、摺動面４ａを備えていない場合、グリップカップ１６を直接中棒７に嵌合させ、中棒７の上下方向に摺動させるようにしてもよい。）このような、グリップカップ１６の摺動操作は、図６に示すように、下ロクロ４を僅かに上下方向に移動させることで、上閉じ式傘１０の開閉操作が達成できる。このようなグリップカップ１６は、上閉じ式傘１０の開閉に利用される他、閉じた状態の防水シート部（防水シート、主骨１、補助骨１５、受骨２）を束ねて手元側に引き寄せる際にも利用される。即ち、グリップカップ１６を用いることにより、上閉じ式傘１０を容易に閉じることができ、且つ、閉じた状態の防水シート部を手で直接触ることなく束ねて手元側に引き寄せることができる。
【００１８】
図７は、下ロクロ４およびグリップカップ１６の取付け構造を詳細に説明するための説明図であり、図７の（ａ）は、グリップカップ１６を上方に摺動させて上閉じ式傘１０を閉じた状態を示し、（ｂ）は、グリップカップ１６を下方に摺動させて上閉じ式傘１０を開いた状態を示したものである。また、（ｃ）及び（ｄ）は断面図であり、（ｃ）が、グリップカップ１６の上端縁に凹部１６ａを設けたものであるのに対し、（ｄ）は、グリップカップ１６の上端縁に回転体１８を設けたものであり、それぞれ、グリップカップ１６が摺動する範囲（図中Ｙ−Ｙ間）を示したものである。
【００１９】
このように、グリップカップ１６の上縁に凹部１６ａを設けることにより、主骨や補助骨もしくは受骨の移動がガイドできるようにすること、もしくは、グリップカップ１６の上端縁に回転体１８を設けた場合には、上閉じ式傘１０の開閉がスムースに行われるものとなる。回転体１８としては、針金にビーズを通して、ビーズが回転するようにしたものや、回転可能にケーシングした球状体をグリップカップ１６の内側（受骨２や補助骨１５が当接する部分）に突出させて形成（ベアリングのような形状）すること等により、好適に実施できる。
【００２０】
グリップカップ１６の材質は、上閉じ式傘１０を容閉じることができる強度と、閉じた状態の防水シート部の感触が得られる程度の柔軟性を兼ねた合成樹脂製とするのがよい。上端縁に凹部１６ａを設けたグリップカップ１６であった場合は、開口部を若干拡縮可能に形成する。これにより、上閉じ式傘１０を閉じる際には開口部が拡径するので、摩擦抵抗が減少し閉じ易くなり、且つ、閉じた防水シートを手元側に引き寄せる際に、防水シートが掴み易くなる。
【００２１】
図８は、主骨１の先端に取り付けられた取付け具１７を示すものであり、（ａ）は、閉じた状態を示し、（ｂ）は、開いた状態（図５の部分Ｂ）を示している。この図８の（ａ）に示すように、傘が閉じている状態でも、補助骨１５の先端は、取付け具１７の先方に突き出ているが、傘を開くと図８の（ｂ）に示すように、補助骨１５の先端がさらに突き出ることにより、防水シート全体が外側に引き伸ばされシートが弛むことがない。
傘を開くと補助骨１５の先端がさらに突き出る構成により、防水シートに張りを付与できる理由は、以下の通りである。
即ち、補助骨１５は、傘を開くと図８の（ｂ）に示すように、補助骨１５の先端がさらに突き出て、筒状の取付け具１７を頂点とした山形状になっているが、これをさらに開いて図５の状態にすると、図５の補助骨１５で示す通り直線状になる。
図５において、下ロクロ４から補助骨１５の先端に至る長さは、図８の山形の状態での下ロクロ４（図８には表示なし）から補助骨１５の先端に至る水平距離より、長くなることは、簡単な図形の特性から容易に理解できることである。
即ち、図５の下ロクロ４から補助骨１５の先端に至る補助骨１５の長さは、図８では山形となっている補助骨１５の長さと同じであり、図８で山形の補助骨１５が傘を開くと直線になるため、山形をなす３角形の両斜辺が直線状になれば３角形の底辺より長くなることになり、これは、３角形の２辺の和は他の１辺より大であるという定理より明らかである。
従って、補助骨１５の先端と連結されている主骨１及び防水シートも引き伸ばされ、張りを与えることが出来る。
補助骨１５は、主骨１の延長線上に伸びるので、主骨１より柔軟性の高い材質とするか、もしくは、より細い線材で形成し、主骨１の内側に取り込まれる構造とするのがよい。
補助骨１５の先端は、上述した通り取付け具１７に嵌挿させて取り付けるが、補助骨１５の後端は受骨２の後部に軸支して取り付けられる。このような、補助骨１５の取り付け構造において、補助骨１５の後端を下ロクロ４に軸支して、補助骨１５に受骨２を軸支すること、もしくは、それぞれ、補助骨１５及び受骨２を同軸で下ロクロ４に軸支すること等、適宜実施される。
【実施例３】
【００２２】
図９及び図１０は、実施例３を示した上閉じ式傘１０であり、図９は傘を開いた状態、図１０は閉じた状態を示している。この上閉じ式傘１０は、収納ケース２１を中棒７に嵌合させて設けたものである。詳述すると、この収納ケース２１は、中棒７の長尺方向に摺動自在に嵌合させて形成した下方筒体２１ｂ、及び、防水シート部（主骨１、受骨２、防水シート２０等）が窄められた状態で収納できるように、所定内径及び長さを有する収納筒体２１ａを連設したものであり、収納筒体２１ａの上縁には石突方向へ向けて凹部が形成されている。尚、この収納筒体２１ａの上縁には、凹部が形成される形状とすることの他に、実施例２で述べたグリップカップ１６と同様、回転体１８を設け、傘の開閉を容易にすることは好適に実施できる。
【００２３】
収納ケース２１の下端は、係止部材２３によって、手元９近辺で下方への移動が規制されている。これにより、中棒７の先端で、収納ケース２１に支持されるように開状態が維持されている。また、収納ケース２１内で、中棒７のがたつきを防止する中留め２２を設け、中棒７を収納ケース２１内の中央に維持させるようにする。上閉じ式傘１０を閉じる際には、収納ケース２１を石突１１方向へ摺動させる。この操作は、上述した第２の実施の形態におけるグリップカップ１６（図５、図６参照）を石突１１方向へ移動させる操作と同じである。しかし、グリップカップ１６が、下ロクロ４ａに嵌合されて取付けられているのに対し、収納ケース２１は、中棒７に嵌合されて取り付けられ、防水シート部の収束に利用される。また、実施例２におけるグリップカップ１６と同様、収納ケース２１は、防水シート部を集束させた後に、防水シート部と収納ケース２１とを中棒７上で摺動させることができるものであり、これにより、上閉じ式傘１０を全体的に短くして防水シート部を収納する。上閉じ式傘１０を全体的に短くする手段としては、中棒７が縮められるようにしてもよい。
【００２４】
図１１は、手元９に、カバー２４を設けたものである。このカバー２４は、手元９の内部に折り畳み収納されており、必要に応じて、図１１のように取り出して、図１２のように折り返し、上閉じ式傘１０を収納する。このような構成は、図１３に示したような折り畳み傘であっても同様に実施される。
【実施例４】
【００２５】
図１４は、操作子３２を主骨１と併設させて設けた実施例を示すものであり、図１４（ａ）は閉じた状態、図１４（ｂ）は開いた状態、図１４（ｃ）は、（ａ）におけるＤ−Ｄ線断面図を示す。これらの図に示したように、本実施例では、上閉じ式傘１０を開いた際に、主骨１が外装ケース３４から外側に出て開く部分（先端側の主骨１ａ）と、外装ケース３４内に留まる部分（手元側の主骨１ｂ）とで２分割され、２分割部分が、支軸４８で軸支連結されて構成されている。
【００２６】
先端側の主骨１ａは、その先端が操作子３２の先端に固定させ、手元側の主骨１ｂの後端は、中棒７に摺動自在に嵌合させた第１の挿通部材４１に固着させている。操作子３２は、先端が先端側の主骨１ａの先端と固定具４０で固着され、後端は中棒７の先端で中棒７に固定具４０ａで固着されている。手元側の主骨１ｂと操作子３２とは、第２挿通部材４２に挿入され、手元側の主骨（１ｂ）部分は、支軸４８手前近傍で留まり、それ以上先端側に移動できないものとなっている。したがって、中棒７の操作範囲は、第１挿通部材４１および第２挿通部材４２の間であり、固定具４０ａの移動が許容される範囲となっている。
【００２７】
第２挿通部材４２は、外装ケース３４に固着させている。これにより、上閉じ式傘１０の開状態は、中棒７を操作し、固定具４０ａが第２挿通部材４２と接することで達成され、閉状態は、固定具４０ａが第１挿通部材４１と接することで達成される。即ち、中棒７で操作子３２を押し出した場合には、図１４（ｂ）に示したように、先端側の主骨１ａを開方向で開くことができ、逆に、中棒７を引き戻すことにより閉じることができる。
【００２８】
図１４（ｃ）は、図１４（ａ）に示したＤ−Ｄ線断面図であり、一対の主骨１および操作子３２が、操作子３２を内側にして中棒７の外周に放射状に取付けられていることを示したものである。この図１４（ｃ）に示したように、主骨１は略Ｕ字形に形成され、操作子３２は主骨１の凹部に収まるようにして断面長方形に形成される。また、主骨１および操作子３２のそれぞれの材質は、主骨１をスチール製として、所定の強度を備えたものとする一方、操作子３２は、その先端部で主骨１を押し出して開くことができる程度の可撓性部材とする。防水シート（図省略）は、操作子３２を覆うように設けられるものであるが、操作子３２を可撓性部材とすることにより、これを湾曲させて防水シートに丸みを持たせる。
【００２９】
図１５は、操作子３２を主骨１と併設させて設けた他の実施例を示すものであり、図１５（ａ）は閉じた状態、図１５（ｂ）は開いた状態を示す。この実施例では、操作子３２を主骨１の先端部および中棒７の先端部に固着させ、且つ、主骨１は、その後端部において、操作子３２を挿通させた第３の挿通部材４３に固着させている。これにより、第３の挿通部材４３を外装ケース３４に固着させ、中棒７の操作で主骨１の開閉ができるようにしたものでる。この場合、操作子３２の材質を可撓性部材とする一方、主骨１の材質は操作子３２の押圧力で押し開ける程度の強度と剛性を備えたものとするのがよい。
【００３０】
図１６は、操作子３２を主骨１と併設させて設けた他の実施例を示すものであり、図１６（ａ）は閉じた状態、図１６（ｂ）は開いた状態を示すものである。この実施例における上閉じ式傘１０では、操作子３２を主骨１の先端部および中棒７の先端部に固着させ、且つ、主骨１の後端部において、主骨１は操作子３２を挿通させた第４の挿通部材４４に固着されている。さらに、主骨１および操作子３２を挿通させた第５の挿通部材４５を第４の挿通部材４４より先端側に設け、第５の挿通部材４５を外装ケース３４に固着させている。これにより、中棒７の操作は、第５の挿通部材４５が固定具４０に接触する状態（閉じた状態）と、第４の挿通部材４４を第５の挿通部材４５に接触させて、さらに押し出して、中棒７の先端が第４の挿通部材４４の後端に接触する状態（開いた状態）との間となり、操作範囲の長いものとなるが、主骨１を外装ケース３４の内部に取り込める。
【００３１】
図１７の上閉じ式傘１０は、図１７（ａ）に示したように、主骨１、操作子３２、第４の挿通部材４４、第５の挿通部材４５が示された上述の実施の形態に加え、さらに、防水シート３５、傘の開閉をスムースにする回転体１８、連結糸３８が設けられており、中棒７を縮めることにより、全体としてコンパクトなものとすることができるものである。防水シート３５は、略円形形状に形成され、その周縁部で固定具４０（操作子３２および主骨部材３１の先端）に係止されており、その中央部には、中棒７の先端中央部と連結させて連結糸３８が設けられている。
【００３２】
図１７（ｂ）、（ｃ）、（ｄ）は、上閉じ式傘１０を閉じる操作を順に説明したものである。図１７（ｂ）は、中棒７を僅かに下方向に操作することにより、操作子３２の撓みを解消し、シート部（主骨１および防水シート３５）を閉じたものであり、図１７（ｃ）は、中棒７を下方向に操作して外装ケース３４の上方に突き出しているシート部を、外装ケース３４内に収納した状態である。また、図１７（ｄ）は、図１７（ｃ）の状態から、さらに、中棒７を折り畳み、全体としてコンパクトなものとしたものである。
上閉じ式傘１０を閉じた状態から開く際には、中棒７を上方向に操作（開操作）して、操作子３２および主骨１を第５の挿通部材４５内で摺動させ、第５の挿通部材４５を第４の挿通部材４４に当接させ、第４の挿通部材４４の移動が規制された後に、更に、中棒７を上方向に操作することにより、操作子３２を撓ませる。これにより、シート部（主骨１および防水シート３５）は、外装ケース３４の外側に開く。
【００３３】
本発明の上閉じ式傘は、一例として、雨天時に乗用車に乗る際に利用される。乗用車に乗る際には、先ず、車のドアを開け、車体とドアの間に自らが立った状態から車のシートに座ると、上閉じ式傘は車体の屋根とドアを覆う格好となる。この時点で、ドアを若干の隙間だけ残して殆ど閉め、傘を閉じる操作により、傘は上方に窄んで閉じるので、閉じた傘をそのまま下に引いて車体とドアの隙間から抜き、抜き終えたらドアを閉じる。本発明の上閉じ式傘の場合、雨に濡れた傘を閉じても、雨に濡れた傘の布地の外側部分は、閉じた傘の内側部分にくるため、雨滴は閉じた傘の内部に溜まる形となり、雨滴が床に落ちたり、傘に触れた人の服に付いたりするということがない。
乗用車から降りる際は、車のドアを少しだけ開け、車体とドアの間に隙間を作り、その隙間に傘を先端から突き出す。収納された状態の傘の上部だけ突き出しさえすれば、開操作することにより傘は下方向に開き、傘が車体とドアの間を覆う形となるので、その後にドアを開けて出てゆけば雨に濡れることはない。
【産業上の利用可能性】
【００３４】
本発明は、短い隙間から突き出して傘を開閉させる必要がある用途、スライド操作の操作距離を短くして傘を開閉させる必要がある用途、傘の布地の外側部分を内側に閉じる必要がある用途にも適用できる。
【図１】
0004766246.tif 000002
【図２】
0004766246.tif 000003
【図３】
0004766246.tif 000004
【図４】
0004766246.tif 000005
【図５】
0004766246.tif 000006
【図６】
0004766246.tif 000007
【図７】
0004766246.tif 000008
【図８】
0004766246.tif 000009
【図９】
0004766246.tif 000010
【図１０】
0004766246.tif 000011
【図１１】
0004766246.tif 000012
【図１２】
0004766246.tif 000013
【図１３】
0004766246.tif 000014
【図１４】
0004766246.tif 000015
【図１５】
0004766246.tif 000016
【図１６】
0004766246.tif 000017
【図１７】
0004766246.tif 000018